(57)【特許請求の範囲】
【請求項１】
紅茶等の被抽出物が収容され透水性シートによって形成されるバッグ本体と、前記バッグ本体に一端部が連結された糸、前記糸の他端部に固定されたタグとを有し、前記タグが前記バッグ本体に熱溶着によって連結された抽出バッグにおいて、
前記タグは前記バッグ本体に対し強固に連結された連結部と、前記バッグ本体に対し連結されず前記糸の他端部が固定された非連結部とを有し、前記連結部と前記非連結部との間に易破断部が形成されており、前記非連結部を引っ張ることで易破断部が破断して、前記連結部をバッグ本体に残したまま、非連結部が糸と共にバッグ本体から離脱することを特徴とする抽出バッグ。
【請求項２】
請求項１に記載した抽出バッグにおいて、易破断部はタグの縁に一対の端部が位置するＵ字状に形成され、非連結部をバッグ本体から離脱させると、前記非連結部に切欠きが形成され、前記切欠きをカップ等の容器の縁に嵌めることで非連結部を係止させることを特徴とする抽出バッグ。
【請求項３】
請求項１または２に記載した抽出バッグを製袋充填機によって形成するための抽出バッグ用シートであって、バッグ本体の構成材となるシートと、前記シートの長手方向に等間隔を開けて配置され一端部がシートに連結された糸と、前記糸の他端部に固定されたタグとから成り、前記タグは前記シートに対し強固に連結された連結部と、前記シートに対し連結されず前記糸の他端部が固定された非連結部とを有し、前記連結部と前記非連結部との間に易破断部が形成されていることを特徴とする抽出バッグ用シート。
【発明の詳細な説明】
【技術分野】
【０００１】
本発明は紅茶、緑茶等の抽出バッグ、この抽出バッグを構成する抽出バッグ用シートに関するものである。
【背景技術】
【０００２】
特許文献１（発明の名称：糸材）に開示されている抽出バッグは、透水性シートによって構成された三角錐状（四面体）のバッグ本体と、このバッグ本体に一端が接続された糸、糸の他端に固定されたタグとから成る。タグはバッグ本体に超音波溶着装置等を用いた熱溶着によって弱く連結されているので、タグを摘んで引っ張ることによりバッグ本体から剥がすことができる。抽出バッグ使用時には、タグをバッグ本体から剥がして、このタグを持ってバッグ本体を吊り下げた状態でカップなどに入れる。そして、カップに湯を注いでバッグ本体内の紅茶等の抽出を行う。
【先行技術文献】
【特許文献】
【０００３】
【特許文献１】ＷＯ２０１０／１４６７１６
【発明の概要】
【発明が解決しようとする課題】
【０００４】
上記従来の抽出バッグはタグの抽出バッグに対する連結強度が大きすぎると、タグを剥がした際にバッグ本体が破れて穴が開いてしまうおそれがあり、連結強度が小さすぎると抽出バッグの搬送中の振動などによって、タグがバッグ本体から剥がれてしまうおそれがある。すなわち、抽出バッグの使用前においてはタグがバッグ本体から剥がれることなく、使用時においてはバッグ本体から簡単に剥がすことができてバッグ本体を破損することがないという、言わば相反する要求を満たす微妙な連結強度が要求されている。
【０００５】
しかしながら、バッグ本体は合成樹脂製の不織布やメッシュ材によって形成され、タグを適正な連結強度に設定するためには、溶着部に加える圧力や溶着温度等の溶着条件について微妙な調整を行う必要があるという問題がある。特に不織布はその部位によって厚さが異なることもあり、タグの連結強度を常に適正なものとするための調整は相当に難しい。
本発明は上記従来の問題点に着目して為されたものであり、タグのバッグ本体に対する溶着条件について微妙な調整を行う必要がなくて、抽出バッグの使用前においてはタグがバッグ本体から剥がれることなく、使用時においてはバッグ本体から簡単に剥がすことができて、しかもバッグ本体を破損することがない抽出バッグ、この抽出バッグを製袋充填機によって製造する場合に用いる抽出バッグ用シートの提供を、その目的とする。
【課題を解決するための手段】
【０００６】
本発明は上記課題を解決するためになされたものであり、請求項１の発明は、紅茶等の被抽出物が収容され透水性シートによって形成されるバッグ本体と、前記バッグ本体に一端部が連結された糸、前記糸の他端部に固定されたタグとを有し、前記タグが前記バッグ本体に熱溶着によって連結された抽出バッグにおいて、前記タグは前記バッグ本体に対し強固に連結された連結部と、前記バッグ本体に対し連結されず前記糸の他端部が固定された非連結部とを有し、前記連結部と前記非連結部との間に易破断部が形成されており、前記非連結部を引っ張ることで易破断部が破断して、前記連結部をバッグ本体に残したまま、非連結部が糸と共にバッグ本体から離脱することを特徴とする抽出バッグである。
【０００７】
請求項２の発明は、請求項１に記載した抽出バッグにおいて、易破断部はタグの縁に一対の端部が位置するＵ字状に形成され、非連結部をバッグ本体から離脱させると、前記非連結部に切欠きが形成され、前記切欠きをカップ等の容器の縁に嵌めることで非連結部を係止させることを特徴とする抽出バッグである。
【０００８】
請求項３の発明は、請求項１または２に記載した抽出バッグを製袋充填機によって形成するための抽出バッグ用シートであって、バッグ本体の構成材となるシートと、前記シートの長手方向に等間隔を開けて配置され一端部がシートに連結された糸と、前記糸の他端部に固定されたタグとから成り、前記タグは前記シートに対し強固に連結された連結部と、前記シートに対し連結されず前記糸の他端部が固定された非連結部とを有し、前記連結部と前記非連結部との間に易破断部が形成されていることを特徴とする抽出バッグ用シートである。
【発明の効果】
【０００９】
本発明の抽出バッグでは、抽出バッグの使用前においてはタグがバッグ本体から剥がれてしまうのを防止でき、使用時においてはバッグ本体から簡単に剥がすことができて、バッグ本体を破損するのを防止することができる。
【図面の簡単な説明】
【００１０】
【図１】本発明の実施の形態に係る抽出バッグの斜視図である。
【図２】図１の抽出バッグのタグを剥がしてバッグ本体に巻き付けられた糸を解いた状態の斜視図である。
【図３】図１の抽出バッグの使用方法を示す斜視図である。
【図４】図１の抽出バッグのタグとその周辺の一部拡大図である。
【図５】図１の抽出バッグを製袋充填機によって形成するためのシートの平面図である。
【図６】その他の実施の形態に係る抽出バッグのタグのバッグ本体に対する連結状態を示す平面図である。
【発明を実施するための形態】
【００１１】
本発明の実施の形態に係る抽出バッグ１を図面にしたがって説明する。
符号３はバッグ本体を示し、このバッグ本体３は合成樹脂製の不織布から成る透水性シートによって形成されている。バッグ本体３は三角錐状（四面体）に形成され、被抽出物としての紅茶Ｔが収容されている。
【００１２】
符号５は糸を示し、この糸５の一端部５ｂはバッグ本体３に熱溶着されて接続されている。糸５は図４の左右方向のほぼ中心に位置しており、タグ７の上辺近傍に位置する溶着部５ａにおいて連結されている。
また、糸５の他端部にはタグ７が強固に固定されており、このタグ７は片面に熱可塑性樹脂がコーティングされた正方形の紙片によって構成されている。図４においてタグ７の右辺側には易破断部９が形成され、この易破断部９は切込み部９ａと、切込み部９ａどうしを繋ぐ連携部９ｂとから構成されている。易破断部９はＵ字状に形成され、易破断部９の一対の端部９ｃはタグ７の縁に位置している。
【００１３】
タグ７の易破断部９に囲まれた領域が連結部７ａとなり、易破断部の外側の領域が非連結部７ｂとなる。すなわち、連結部７ａと非連結部７ｂとの間に易破断部９が形成されている。タグ７は固定部１１においてバッグ本体３に熱溶着によって連結されており、この固定部１１は連結部７ａに位置している。上述の糸５の固定部５ａは非連結部７ｂに位置している。
【００１４】
この抽出バッグ１の使用方法を説明する。
図１に示す状態からタグ７の非連結部７ｂを摘んで引っ張る。これにより易破断部の連携部９ｂが切れて易破断部９が破断し、図２に示すように連結部７ａをバッグ本体３に残したまま、非連結部７ｂが糸５と共にバッグ本体３から離脱する。その結果、タグ７の非連結部７ｂには連結部７ａに対応する形状の凹部１３が形成されることになる。
【００１５】
上記のように非連結部７ｂは易破断部９から切れて連結部７ａから離脱するので、連結部７ａとバッグ本体３との連結に影響を及ぼすことはない。従って、バッグ本体３から簡単に剥がすことができて、しかもバッグ本体３を破損するのを防止することができる。また、タグ７は連結部７ａに設けられた固定部１１においてバッグ本体３に強固に固定されているので、抽出バッグ１の使用前においてタグ７がバッグ本体３から剥がれるのを防止することができる。
【００１６】
図３に示すように、凹部１３をカップＣの縁に嵌めて、非連結部７ｂを係止する。そして、カップＣに湯Ｗを注いで、バッグ本体３内の紅茶を抽出する。非連結部７ｂはカップＣの縁に係止されているので、湯Ｗが糸５にかかり非連結部７ｂをカップＣ内へ引き込む方向の力が加わっても、非連結部７ｂがカップＣ内へ落ちるのを防止することができる。
必要に応じて、非連結部７ｂをカップＣの縁から外して、糸５をバッグ本体３と共に上下動させることで紅茶Ｔの抽出の程度を調節する。
【００１７】
図５に抽出バッグ１を製袋充填機によって形成するための抽出バッグ用シート１５を示す。
符号１６はバッグ本体３の構成材となるシートを示し、このシート１６は不織布から成る長尺な帯状を為している。シート１６には糸５が取り付けられており、糸５はシート１６の長手方向に等間隔を開けて配置されている。糸５は、その一端部５ｂがシートに溶着されて連結され、他端部にはタグ７が固定されている。タグ７の連結部７ａは固定部１１においてシート１６に熱溶着によって強固に固定されている。タグ７は互いに等間隔を開けて配置され、二枚のタグ７を一組として、この一組のタグ７の連結部７ａが互いに対向するように備えられている。
【００１８】
図６にその他の実施の形態に係るタグと糸を示す。
同図に示す実施の形態の説明において、上記実施の形態に係る抽出バッグ１と同様の構成部材については上記実施の形態と同じ符号を引用し、その説明を省略する。
（ａ）のタグ１７はバッグ本体３に溶着され、円形の易破断部１９が形成されている。このタグ１７の非連結部１７ｂは連結部１７ａから離脱すると円形の穴が形成され、連結部１７ａは円形となる。以下（ｂ）〜（ｆ）に説明するタグもタグ１７と同様にバッグ本体３に溶着されている。
（ｂ）のタグ２７には、タグ２７を横断する易破断部２９が上端部寄りに形成されている。非連結部２７ｂは連結部２７ａから離脱すると長方形となり、連結部２７ａは非連結部２７ｂより高さ寸法の小さい長方形となる。
（ｃ）のタグ３７には、その左上の角を中心とする円弧状の易破断部３９が形成されている。非連結部３７ｂは、連結部３７ａから離脱すると正方形から角部が扇型に欠落した形状となり、連結部３７ａは扇型となる。
【００１９】
（ｄ）のタグ４７には、タグ４７を縦断する易破断部４９が右端部寄りに形成されている。非連結部４７ｂは連結部４７ａから離脱すると長方形となり、連結部４７ａは非連結部４７ｂより幅寸法の小さい長方形となる。
（ｅ）のタグ５７には、上側の角部どうしを結ぶ湾曲した形状の易破断部５９が形成されている。非連結部５７ｂは、連結部５７ａから離脱すると正方形から上端部が弓形に欠落した形状となり、連結部５７ａは弓形となる。
（ｆ）のタグ６７には、上端部に円弧状の易破断部６９が形成されている。非連結部６７ｂは、連結部６７ａから離脱すると上端部中央に一部が欠けた円形の欠落部分を有する正方形となり、連結部６７ａは一部が欠けた円形となる。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、三角錐状（四面体）に形成されたバッグ本体を示したが、本発明はこれに限定されず平袋型のバッグ本体に適用してもよいのは勿論である。
また、バッグ本体は不織布に限らず、合成樹脂製のメッシュ材によって構成してもよいのは勿論である。
なお、被抽出物は紅茶に限らず、緑茶、コーヒー、更に削り節等であってもよい。
【産業上の利用可能性】
【００２１】
本発明の抽出バッグは製袋充填機によって本発明の抽出バッグ用シートを用いて製造され、ティーバッグ製造業等に利用可能性を有する。
【符号の説明】
【００２２】
１…抽出バッグ      ３…バッグ本体
５…糸              ５ａ…溶着部                  ５ｂ…糸の一端部
７、１７、２７、３７、４７、５７、６７…タグ
７ａ、１７ａ、２７ａ、３７ａ、４７ａ、５７ａ、６７ａ…連結部
７ｂ、１７ｂ、２７ｂ、３７ｂ、４７ｂ、５７ｂ、６７ｂ…非連結部
９…易破断部        ９ａ…切込み部
９ｂ…連携部        ９ｃ…易破断部の一対の端部    １１…固定部
１３…凹部          １５…抽出バッグ用シート        １６…シート
Ｔ…紅茶            Ｃ…カップ                      Ｗ…湯
【図１】
0006530649.tif 000002
【図２】
0006530649.tif 000003
【図３】
0006530649.tif 000004
【図４】
0006530649.tif 000005
【図５】
0006530649.tif 000006
【図６】
0006530649.tif 000007